(57)【特許請求の範囲】
【請求項１】
パイプの内径に見合った適宜の外径と長さとを有して略円柱形に構成されたシリンダー錠機構の内端に、二つ折り状態にしたワイヤーの一端を結着して固定端部とし、他端を、上記シリンダー錠機構の内端部に着脱自在に備えた施錠レバーに固定して自由端部とし、二つ折りにしたワイヤーの内端を先にしてシリンダー錠機構とともにパイプに挿入し、シリンダーケースの外端部をパイプの端縁に掛止させて、ワイヤーとシリンダー錠機構をパイプ内に収納させるようにしたワイヤー錠であって、
該ワイヤー錠は、前記シリンダーケースに周溝を備え、この周溝に、前記パイプの内周に沿う環状の弾性体を嵌着するとともに、上記周溝の底部に、キーの回転角度に対応した嵌合孔を配設し、前記シリンダーの外周面に、上記嵌合孔と係合する作動部を形成し、上記環状の弾性体の内周面に一体に具えた凸条を上記嵌合孔に嵌合させて、上記作動部と係合させるように設け、このワイヤー錠をパイプ内に収納し、シリンダーケースの外端面に臨出する鍵穴に差し込んだキーを回転して、パイプ内でシリンダーを施錠状態に回転する施錠操作により、上記作動部と上記嵌合孔とを合致させ、上記シリンダーの作動部に上記凸条を押し出させて、弾性体の外周面を膨出させ、この膨出部とパイプの内面との圧接と摩擦によってワイヤー錠をパイプ内に保持させるとともに、シリンダー錠機構からキーを外せるように構成したことを特徴とするパイプ内に収納されるワイヤー錠。
【請求項２】
前記シリンダーケース内に挿入される前記シリンダーは、内端部に、反撥ばねを付設したスライドレバーを連接し、このスライドレバーを、上記シリンダーケースの内端部に設けた受け座に嵌合されている前記施錠レバーに弾性的に当接させて、非使用状態における該施錠レバーの保持を強化するようにしたことを特徴とする請求項１記載のパイプ内に収納されるワイヤー錠。
【請求項３】
前記ワイヤー錠は、前記キーの開錠操作により、前記凸部を前記作動部との係合から外して、前記嵌合孔内で該凸条を下降させ、それによって、前記弾性体の復元力により前記膨出部を解消して、該弾性体とともに前記シリンダー錠機構およびワイヤーをパイプ内から引き出せるように構成したことを特徴とする請求項１記載のパイプ内に収納されるワイヤー錠。
【発明の詳細な説明】
【０００１】
【産業上の利用分野】
本発明は、主として、開放端面を備えた自転車のハンドルのようなパイプ内に収納されるようにしたワイヤー錠に関し、錠前にシリンダー錠機構を用い、パイプ内で錠前を施錠状態にすることによって外周に備えた環状の弾性体を膨出させ、膨出部とパイプの内周面との圧接により収納状態を保持させるようにしたことを特長とするものである。
【０００２】
【従来の技術】
従来、この種のワイヤー錠には、例えば特開平８−２０７８４６号公報がある。
この先願のワイヤー錠は、比較的に長尺のワイヤーを用いる必要があること、ハンドル部内に収納されるワイヤーの内端部を抜け止めする抜け止め部をハンドル部内に設ける必要があることから、ワイヤー錠を自転車と一体に装着しなければならず、装着方法に制限があるという欠点があった。
【０００３】
【発明が解決しようとする課題】
このようなことから、本発明が解決しようとする課題は、ワイヤー錠全体をパイプ内から取り出せるようにすることによって、例えば自転車等への取り付けを容易にすること、長尺のワイヤーを用いなくても済むようにすること、ワイヤー錠の使用とパイプ内への収納を容易にすることにある。
【０００４】
【課題を解決するための手段】
そこで本発明は、パイプの内径に見合った適宜の外径と長さとを有して略円柱形に構成されたシリンダー錠機構の内端に、二つ折り状態にしたワイヤーの一端を結着して固定端部とし、他端を、上記シリンダー錠機構の内端部に着脱自在に備えた施錠レバーに固定して自由端部とし、二つ折りにしたワイヤーの内端部を先にしてシリンダー錠機構とともにパイプに挿入し、シリンダーケースの外端部をパイプの端縁に掛止させて、ワイヤーとシリンダー錠機構をパイプ内に収納させるようにしたワイヤー錠であって、
該ワイヤー錠は、前記シリンダーケースに周溝を備え、この周溝に、前記パイプの内周に沿う環状の弾性体を嵌着するとともに、上記周溝の底部に、キーの回転角度に対応した嵌合孔を配設し、前記シリンダーの外周面に、上記嵌合孔と係合する作動部を形成し、上記環状の弾性体の内周面に一体に具えた凸条を上記嵌合孔に嵌合させて、上記作動部と係合させるように設け、このワイヤー錠をパイプ内に収納し、シリンダーケースの外端面に臨出する鍵穴に差し込んだキーを回転して、パイプ内でシリンダーを施錠状態に回転する施錠操作により、上記作動部と上記嵌合孔とを合致させ、上記シリンダーの作動部に上記凸条を押し出させて、弾性体の外周面を膨出させ、この膨出部とパイプの内面との圧接と摩擦によってワイヤー錠をパイプ内に保持させるとともに、シリンダー錠機構からキーを外せるように構成したことを特徴とするパイプ内に収納されるワイヤー錠を提供するものである。
【０００５】
上記のように、パイプ内に収納したワイヤー錠を施錠操作によりパイプ内に保持させるようにした本発明ワイヤー錠は、パイプ内にはワイヤーの抜け止め加工を施さずに収容したワイヤー錠を保持させることができる。また、ワイヤー錠はパイプとは互いに別体に備えることができ、ワイヤー錠全体を取り出すことができる。また、特別に長尺のワイヤーを使用する必要が無く、比較的にワイヤー部分の短いワイヤー錠を使用することができるとともに、ワイヤー錠の使用（施錠と開錠）がパイプの位置とは関係なく任意の位置に使用できる。本発明は以上のようにして前記の課題を解決したものである。
【０００６】
シリンダーケース内に挿入されるシリンダーの内端部に、反撥ばねを付設したスライドレバーを連接し、このスライドレバーを、上記シリンダーケースの内端部に設けた受け座に嵌合させている施錠レバーに弾性的に当接させて、非使用状態における該施錠レバーの保持を強化するようにした請求項２の発明によれば、非使用時における施錠レバーとワイヤーの自由端部の保持がより一層強化されるので、パイプ内へのワイヤー錠の収納と取り出しがスムーズにでき、かつ、無造作にできるようになるという利点がある。
【０００７】
前記ワイヤー錠は、前記キーの開錠操作により、前記凸部を前記作動部との係合から開放して、前記弾性体の復元力により該凹部を嵌合孔内で下降させて前記膨出部を解消して、該弾性体とともに前記シリンダー錠機構およびワイヤーをパイプ内から引き出せるように構成した請求項３の発明は、パイプ内に収納されているワイヤー錠の圧接・保持を、特別に解除手段を備えることなく、弾性体自体が有する復元力を利用して解除させるようにしたことを特長とし、キー操作に一貫性を持たせることによって、低コストに、かつ、スムーズなワイヤー錠の収納と取り出しをできるようにしたものである。
【０００８】
【実施例】
図面に示す実施例は、端面を開放した自転車のハンドル部内に収納するようにした場合のもので、以下に本発明をこの実施例について説明する。
図１は、本発明に係るワイヤー錠の一部切欠斜視図、図２は、図１の分解斜視図、図３は、ワイヤー錠の内部構造を示す一部切欠拡大縦断面図、図４は、パイプ（ハンドル部）内におけるワイヤー錠の収納状態を示す一部切欠縦断面図、図５（ａ）は、ワイヤー錠とハンドル部内面との圧接・保持状態を説明する横断面図、図５（ｂ）は、パイプ内にワイヤー錠を挿入した状態を説明する横断面図である。
【０００９】
図において、１は、収納されるパイプＢ（ハンドル部）の内径に見合った外径と長さとを有して略円柱形に形成されるシリンダーケースａとシリンダーｂとからなるシリンダー錠機構、２は、シリンダーケースａの内端部（図示左端）に一端を結着して固定端部とし、他端をシリンダー錠機構１の内端部に着脱自在に備えた施錠レバー３に取付け用軸３’で一体に固定されて自由端部として、二つ折り状態に屈折させたワイヤー、４はワイヤー２の屈折部２’に嵌着した結束用のリングである。
上記のように構成したシリンダー錠機構１とワイヤー２は、ワイヤー錠の非使用時に、結束用のリング４を先にしてパイプＢ内に挿入され、図４に示すように、シリンダー錠機構１の外端部１’をパイプＢの端縁Ｂ’に掛止させて収納される。
【００１０】
上記のようにしてパイプＢ内に収納されるシリンダーケースａは、図２に示すように中間に設けた周溝５に、パイプＢの内周に沿うように環状に形成したゴム製の弾性体７を嵌め込み、該周溝５の底に、図５に示すように、後述のキー１９の回転操作角度に対応させて直径方向に配置した嵌合孔６を設ける。
また、周溝５に嵌着したゴム製の弾性体７は、内周面に、図２に示すように、上記嵌合孔６の配置間隔と対応する２個の凸条８を一体に設け、この凸条８を図４、５に示すように上記嵌合孔６に嵌め込んでいる。
一方、シリンダーケースａ内に嵌装されるシリンダーｂには、図５に示すように、上記周溝５と対応する位置に、上記嵌合孔６と間隔を等しくして、直径方向で対向する作動部９を形成させるように周面を一部切除した切欠部１０を設ける。
【００１１】
シリンダーｂは、図２、図３に示すように、内端部にばねの嵌め込み孔１１を具えて形成した凸条１２に反撥ばね１３を嵌め込み、該ばね１３に付勢させて、前面に楔形の突出部１４を具えた断面コ字形のスライドレバー１５を連接し、このスライドレバー１５を、シリンダーケースａに貫設したガイド孔１６に摺動自在に嵌合させ、前面の突出部１４をシリンダーケースａの内端部に設けた受け座１７に着脱自在に嵌合している前記施錠レバー３の端面の凹部１８に嵌合させて、この凹部１８と突出部１４との弾性的な係合により、施錠レバー３と受け座１６との嵌合状態を常時保持させるようにしている。
【００１２】
前述のようにしてシリンダー錠機構１の外端部１’を臨出させてパイプＢ内に収納されたワイヤー錠は、シリンダーケースａの端面に臨出している鍵穴２２にキー１９を差し込むと、通常のシリンダー錠機構と同様に、シリンダーｂが回転可能になる。
そして、差し込んだキー１９を施錠位置に回転させると、図５の（ａ）に示すように、シリンダーｂの作動部９の回動により弾性体７の凸条８の内端が押し上げられる。嵌合孔６内で押し上げられる凸条８の上昇とともに、弾性体７は、シリンダーケースａの外側に向かって同上図５（ａ）中に虚線で示すように膨らむ。
【００１３】
上記弾性体７の膨出部分２０は、実際上はパイプＢの内周面に圧接して、ワイヤー錠を収納位置に保持する。と同時に、両部材間に形成される摩擦によりワイヤー錠を抜け止めする。
なお、シリンダー錠機構１が施錠状態にあるとき、キー１９は抜き出し可能になり、携行できるようになることも、従来の錠機構の場合と同様である。また、キー１９と係合するタンブラー片等、シリンダーｂの内部構造については説明を省略する。
【００１４】
次に、パイプＢに収納されているワイヤー錠を取り出すときの操作を説明する。初めに、図４の状態において鍵穴２２に所定のキー１９を挿入して開錠位置まで回転する。
キー１９の開錠操作に従動してシリンダーｂが回転すると、作動部９による押し上げが解除されるので、環状の弾性体７は、自体に具わっている復元力により、図５の（ｂ）に示すように嵌合孔６内の凸条８を下降させるとともに、パイプＢの内面に圧接していた膨出部分２０を解消してワイヤー錠の保持を開放し、取り出せる状態に戻す。
【００１５】
パイプＢ外に取り出したワイヤー錠は、上述のように開錠状態にある。したがって、通常のワイヤー錠としてパイプの位置と無関係に使用できる。そして、受け座１７の両脇に図示のように形成した凹部２１に指先を入れて施錠レバー３を持ち、前記した凹部１７と突出部１４との弾性的な係合に抗して図１の上方に向けてワイヤー２の自由端部と共に引き上げると、施錠レバー３が開放状態になる。そして、ワイヤー２の長さに応じて任意の物体、例えば前輪と前ホーク、後輪と後ホーク、パイプポストと立木などに巻回し、ワイヤー２の自由端部と施錠レバー３を再び図１に示すように受け座１７に嵌め込む。
なお、この実施例では、ワイヤー２の自由端部と施錠レバー３が取付け用軸３’を介して互いに揺動可能に接続されているので、ワイヤー２を被施錠物に巻回する場合の巻回操作とか、施錠操作が比較的に容易にできる。
【００１６】
次いで、キー１９を施錠位置に回すと、シリンダーｂの内端の凸条１２が回転により角度を変え、断面コ字形のスライドレバー１５の突出している両端に接触し、反撥ばね１３の圧縮とスライドレバー１５の後退が阻止されて、施錠レバー３を施錠状態に維持する一方で、キー１９を携行可能にする。
【００１７】
本発明の実施に際して、各部の態様は図示した態様に限られるものではなく、本発明の要旨に沿って各部の態様を適宜に設計変更できることはいうまでもない。また、ワイヤー錠を収納するパイプＢは、端面を開放した自転車のハンドル部とする場合に限らず、自転車その他二輪車の車体の適宜位置にワイヤー錠を収容できるパイプを設ける場合もある。
【００１８】
【発明の効果】
前記のように構成され、上記のように用いられるようにした本発明によれば、パイプに対する加工は不要になり、端部を開口させておくというきわめて簡単なことでワイヤー錠を収納できる。収納したパイプからワイヤー錠全体を取り出して使用できるので、通常のワイヤー錠と同様に施錠位置を適宜に選択できる。また、自転車への取り付けが容易になるとともに、長尺のワイヤーを用いなくても済むようなり、ワイヤー錠の使用とパイプ部への収納ならびに取り出しが容易であるなど、きわめて有用である。
【図面の簡単な説明】
【図１】図１は、本発明に係るワイヤー錠の一部切欠斜視図
【図２】図２は、図１の分解斜視図
【図３】ワイヤー錠の内部構造を示す一部切欠拡大縦断面図
【図４】パイプ内における収納状態を示す一部切欠縦断面図
【図５】図５（ａ）は、ワイヤー錠と部内面との圧接・保持状態を説明する横断面図図５（ｂ）は、パイプ内に挿入した状態を説明する横断面図である。
【符号の説明】
Ｂ  パイプ    （Ｂ’  端縁）
１  シリンダー錠機構    （１’  外端部）
ａ  シリンダーケース
ｂ  シリンダー
２  ワイヤー    （２’  屈折部）
３  施錠レバー    （３’  取付け用軸）
４  結束用リング
５  周溝
６  嵌合孔
７  環状の弾性体
８  凸条
９  作動部
１０  切欠部
１１  嵌め込み孔
１２  凸条
１３  反撥ばね
１４  突出部
１５  スライドレバー
１６  ガイド孔
１７  受け座
１８  凹部
１９  キー
２０  膨出部
２１  凹部
２２  鍵穴
【図１】
0004143754.tif 000002
【図２】
0004143754.tif 000003
【図３】
0004143754.tif 000004
【図４】
0004143754.tif 000005
【図５】
0004143754.tif 000006